【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
基板に配された画素回路と、
前記基板の上部に、前記基板の表面に沿った方向である第１方向に順に配された第１電極および第２電極と、
前記第１電極および前記第２電極の上部に配された上部電極と、
前記第１電極および前記第２電極と、前記上部電極との間に配された光電変換層と、
前記第１電極と前記光電変換層との間に配された絶縁層と、
を備えた画素を複数有する撮像装置であって、
前記画素回路は、
前記第１電極に接続した入力ノードを有する第１増幅部を含む第１信号出力回路と、
前記第２電極に接続した入力ノードを有する第２増幅部を含む第２信号出力回路と、
前記第１電極および前記第１増幅部の入力ノードに接続された第１容量と、
前記第１容量を介して、前記第１電極の電位を制御する第１電位制御部と、を備え、
前記第１電位制御部は、前記光電変換層で生じた信号電荷を収集する第１電位、または、前記信号電荷を前記第１方向に転送する第２電位を前記第１電極に供給することを特徴とする撮像装置。
【請求項２】
第１差動回路を備え、
前記第１信号出力回路の出力ノードと前記第１差動回路の非反転入力端子が電気的に接続し、前記第２信号出力回路の出力ノードと前記第１差動回路の反転入力端子が電気的に接続することを特徴とする請求項１に記載の撮像装置。
【請求項３】
前記第１差動回路の出力ノードに電気的に接続された第１信号線および第２信号線と、
前記第１信号線が非反転入力端子に電気的に接続され、前記第２信号線が反転入力端子に電気的に接続された第２差動回路と、
を有することを特徴とする請求項２に記載の撮像装置。
【請求項４】
前記第１信号出力回路から出力される光信号とノイズ信号を含む第１信号と、ノイズ信号である第２信号とが入力され、前記第１信号と前記第２信号の第１差分信号を出力する第３差動回路と、
前記第２信号出力回路から出力される光信号とノイズ信号を含む第３信号と、ノイズ信号である第４信号とが入力され、前記第３信号と前記第４信号の第２差分信号を出力する第４差動回路と、を備え、
前記第３差動回路の出力ノードと前記第１差動回路の非反転入力端子が電気的に接続し、前記第４差動回路の出力ノードと前記第１差動回路の反転入力端子が電気的に接続することを特徴とする請求項２に記載の撮像装置。
【請求項５】
前記第２電極と前記光電変換層との間の少なくとも一部の領域に、前記絶縁層が配されないことを特徴とする請求項１乃至４のいずれか１項に記載の撮像装置。
【請求項６】
前記第１電極と前記光電変換層の間から前記第２電極と前記光電変換層との間まで前記絶縁層が延在して配されていることを特徴とする請求項１乃至４のいずれか１項に記載の撮像装置。
【請求項７】
前記光電変換層は、前記第１電極と前記上部電極との間に配された第１領域と、前記第２電極と前記上部電極との間に配された第２領域とを含み、
前記第１領域の電荷を前記第１領域から前記第２領域へ前記第１方向に転送することを特徴とする請求項１乃至６のいずれか１項に記載の撮像装置。
【請求項８】
平面視で、前記第２電極が前記第１電極を囲むように配されていることを特徴とする請求項１乃至７のいずれか１項に記載の撮像装置。
【請求項９】
前記光電変換層は、前記第１領域と前記第２領域との間に配された第３領域を含み、前記第３領域のポテンシャルを制御する第３電極が設けられることを特徴とする請求項７に記載の撮像装置。
【請求項１０】
平面視で、前記第３電極が前記第１電極を囲むように配され、前記第２電極が前記第３電極を囲むように配されていることを特徴とする請求項９に記載の撮像装置。
【請求項１１】
前記画素回路は、
前記第３電極の電位を制御する第２電位制御部を備え、
前記第２電位制御部は、前記第３領域にポテンシャル障壁を形成する第３電位とポテンシャル障壁を形成しない第４電位を前記第３電極に供給し、
前記第１電位制御部から前記第１電極に前記第１電位が供給されるときに、前記第２電位制御部は、前記第３電極に前記第３電位を供給し、
前記第１電位制御部から前記第１電極に前記第２電位が供給されるときに、前記第２電位制御部は、前記第３電極に前記第４電位を供給することを特徴とする請求項９または１０に記載の撮像装置。
【請求項１２】
前記画素回路は、
前記第２電極および前記第２増幅部の入力ノードに接続された第２容量と、
前記第２容量を介して、前記第２電極の電位を制御する第３電位制御部と、を備え、
前記第３電位制御部は、前記信号電荷を収集する第５電位、または、前記信号電荷を前記第１方向と反対方向に転送する第６電位を前記第２電極に供給することを特徴とする請求項１乃至１１のいずれか１項に記載の撮像装置。
【請求項１３】
前記第１電位制御部から前記第１電極に前記第１電位が供給されるときに、前記第３電位制御部は、前記第２電極に前記第６電位を供給し、
前記第１電位制御部から前記第１電極に前記第２電位が供給されるときに、前記第３電位制御部は、前記第２電極に前記第５電位を供給することを特徴とする請求項１２に記載の撮像装置。
【請求項１４】
前記光電変換層と前記上部電極との間に配されたブロッキング層を有することを特徴とする請求項１乃至１３のいずれか１項に記載の撮像装置。
【請求項１５】
前記第１信号出力回路の出力ノードが、前記第１信号出力回路の信号を増幅する第１列アンプに接続され、前記第２信号出力回路の出力ノードが、前記第２信号出力回路の信号を増幅する第２列アンプに接続されることを特徴とする請求項１乃至１４のいずれか１項に記載の撮像装置。
【請求項１６】
前記第１信号出力回路は、前記第１電極の電位をリセット電位にリセットする第１リセット部と、前記第１増幅部の出力ノードと第１信号線との電気的な接続を切り替える第１選択部と、を備え、
前記第２信号出力回路は、前記第２電極の電位をリセット電位にリセットする第２リセット部と、前記第２増幅部の出力ノードと第２信号線との電気的な接続を切り替える第２選択部と、を備え、
前記第１リセット部および前記第２リセット部が共通の信号で制御され、前記第１選択部と前記第２選択部が共通の信号で制御されることを特徴とする請求項１乃至１５のいずれか１項に記載の撮像装置。
【請求項１７】
請求項１乃至１６のいずれか１項に記載の撮像装置と、
前記撮像装置から出力される信号を処理する信号処理装置と、を備えることを特徴とする撮像システム。
【手続補正２】
【補正対象書類名】明細書
【補正対象項目名】０００８
【補正方法】変更
【補正の内容】
【０００８】
本発明は、基板に配された画素回路と、前記基板の上部に、前記基板の表面に沿った方向である第１方向に順に配された第１電極および第２電極と、前記第１電極および前記第２電極の上部に配された上部電極と、前記第１電極および前記第２電極と、前記上部電極との間に配された光電変換層と、前記第１電極と前記光電変換層との間に配された絶縁層と、を備えた画素を複数有する撮像装置であって、前記画素回路は、前記第１電極に接続した入力ノードを有する第１増幅部を含む第１信号出力回路と、前記第２電極に接続した入力ノードを有する第２増幅部を含む第２信号出力回路と、前記第１電極および前記第１増幅部の入力ノードに接続された第１容量と、前記第１容量を介して、前記第１電極の電位を制御する第１電位制御部と、を備え、前記第１電位制御部は、前記光電変換層で生じた信号電荷を収集する第１電位、または、前記信号電荷を前記第１方向に転送する第２電位を前記第１電極に供給することを特徴とする撮像装置である。